(57)【要約】【課題】表示装置又は表示パネルの識別情報を簡単に読み取ることができる表示装置等を提供する。【解決手段】表示装置２０は、入力された映像信号に従って映像を表示する装置であって、映像を表示する表示パネル２１と、表示装置２０又は表示パネル２１の識別情報を保持している第１記憶部２３と、第１記憶部２３から識別情報を読み出し、読み出した識別情報を、表示パネル２１を用いて提示する識別情報提示回路２５とを備える。【選択図】図１
2019174775.tif 000002
【特許請求の範囲】
【請求項１】
入力された映像信号に従って映像を表示する表示装置であって、
映像を表示する表示パネルと、
当該表示装置又は前記表示パネルの識別情報を保持している第１記憶部と、
前記第１記憶部から前記識別情報を読み出し、読み出した前記識別情報を、前記表示パネルを用いて提示する識別情報提示回路と
を備える表示装置。
【請求項２】
前記識別情報提示回路は、前記識別情報を２次元バーコードとして前記表示パネルに表示することで、前記識別情報を提示する
請求項１記載の表示装置。
【請求項３】
前記第１記憶部は、前記識別情報を、前記２次元バーコードを表す画像の形式で保持し、
前記識別情報提示回路は、前記第１記憶部から前記画像を読み出し、読み出した画像を前記表示パネルに表示する
請求項２記載の表示装置。
【請求項４】
前記第１記憶部は、前記識別情報を、テキストの形式で保持し、
前記識別情報提示回路は、前記第１記憶部から前記テキストを読み出し、読み出した前記テキストに従って前記２次元バーコードを示す画像を生成し、生成した前記画像を前記表示パネルに表示する
請求項２記載の表示装置。
【請求項５】
さらに、センサを備え、
前記識別情報提示回路は、前記センサが出力する情報と前記テキストとを合成し、合成によって得られたデータを示す２次元バーコードを表す画像を生成し、生成した前記画像を前記映像信号に重畳させることで、前記識別情報及び前記センサが出力した情報を提示する
請求項４記載の表示装置。
【請求項６】
前記識別情報提示回路は、前記識別情報に基づいて前記映像を輝度変調することで、前記識別情報を提示する
請求項１記載の表示装置。
【請求項７】
さらに、センサを備え、
前記識別情報提示回路は、前記センサが出力する情報と前記第１記憶部から読み出した前記識別情報とを合成し、合成によって得られたデータに基づいて前記映像を輝度変調することで、前記識別情報及び前記センサが出力する情報を提示する
請求項６記載の表示装置。
【請求項８】
前記第１記憶部は、さらに、ｗｅｂサイトのＵＲＬ（Ｕｎｉｆｏｒｍ  Ｒｅｓｏｕｒｃｅ  Ｌｏｃａｔｏｒ）を保持し、
前記識別情報提示回路は、前記第１記憶部から前記識別情報と共に前記ＵＲＬを読み出し、読み出した前記ＵＲＬと前記識別情報とを含む情報を、前記表示パネルを用いて提示する
請求項１〜７のいずれか１項に記載の表示装置。
【請求項９】
前記第１記憶部は、さらに、付加情報を保持し、
前記識別情報提示回路は、前記第１記憶部から前記識別情報と共に前記付加情報を読み出し、読み出した前記付加情報を暗号化し、暗号化した前記付加情報と前記識別情報とを含む情報を、前記表示パネルを用いて提示する
請求項１〜８のいずれか１項に記載の表示装置。
【請求項１０】
さらに、外部装置から書き込み可能であり、前記外部装置によって書き込まれた提示情報を保持する第２記憶部を備え、
前記識別情報提示回路は、さらに、前記第２記憶部から前記提示情報を読み出し、読み出した前記提示情報を、前記識別情報と区別可能な態様で、前記表示パネルを用いて提示する
請求項１〜９のいずれか１項に記載の表示装置。
【請求項１１】
さらに、外部装置から書き込み可能であり、前記外部装置によって書き込まれた提示情報を保持する第２記憶部と、センサと、を備え、
前記識別情報提示回路は、さらに、前記センサが検知した情報に基づいて前記第２記憶部に保持された前記提示情報を選択し、選択した前記提示情報を、前記識別情報と区別可能な態様で、前記表示パネルを用いて提示する
請求項１〜９のいずれか１項に記載の表示装置。
【請求項１２】
請求項１〜１１のいずれか１項に記載の表示装置と、
サーバ装置と、
前記表示装置が提示した識別情報を撮影することで前記識別情報を取得し、取得した前記識別情報を提示して前記サーバ装置にアクセスする端末装置とを備え、
前記サーバ装置は、前記端末装置が提示した前記識別情報に依存する処理を行う
通信システム。
【請求項１３】
前記表示装置は、請求項８記載の表示装置であり、
前記サーバ装置は、請求項８記載のｗｅｂサイトを備え、
前記端末装置は、前記ＵＲＬが示す前記ｗｅｂサイトにアクセスし、アクセスした前記ｗｅｂサイトに前記識別情報を提示する
請求項１２記載の通信システム。
【請求項１４】
前記表示装置は、さらに、外部装置から書き込み可能であり、前記外部装置によって書き込まれた提示情報を保持する第２記憶部を備え、
前記識別情報提示回路は、さらに、前記第２記憶部から前記提示情報を読み出し、読み出した前記提示情報を、前記識別情報と区別可能な態様で、前記表示パネルを用いて提示し、
前記サーバ装置は、前記識別情報に依存する処理として、前記提示情報を提供した者に対して、前記識別情報に対応づけられた支払先への支払いを指示する課金処理をする
請求項１３記載の通信システム。
【請求項１５】
請求項２〜７のいずれか１項に記載の複数の表示装置と、
前記複数の表示装置が提示した２次元バーコードをＡＲ（Ａｕｇｍｅｎｔｅｄ  Ｒｅａｌｉｔｙ）マーカーとして検知するＡＲ制御装置と
を備える拡張現実システム。
【請求項１６】
入力された映像信号に従って映像を表示する表示パネルを備える表示装置が有する第１記憶部に、前記表示装置又は前記表示パネルの識別情報を書き込む書き込みステップと、
書き込まれた前記識別情報を前記第１記憶部から読み出し、読み出した前記識別情報を、前記表示パネルを用いて提示する提示ステップと
を含む識別情報の書き込み方法。
【発明の詳細な説明】
【技術分野】
【０００１】
本発明は、表示装置、通信システム、拡張現実システム、及び、表示装置への識別情報の書き込み方法に関する。
【背景技術】
【０００２】
ＬＣＤ（Ｌｉｑｕｉｄ  Ｃｒｙｓｔａｌ  Ｄｉｓｐｌａｙ）等の表示装置に対して、画質の校正等のサポートをするには、各種データベースを参照するために、表示装置又は表示パネルの識別情報（例えば、シリアルＮｏ．等）が必要となる。なお、本明細書において、表示パネルとは、表示装置が備える部品としての画面であり、表示装置とは、表示パネルをフレームにセットした装置である。
【０００３】
従来、表示パネルの識別情報を取得する方法として、様々な技術が提案されている（例えば、特許文献１参照）。特許文献１には、表示パネルに形成されたバーコードタイプの識別情報をバーコードリーダで読み取ることで、表示パネルの表示欠陥(むら)の方向性データと階調領域データを自動で生成する技術が開示されている。このような技術を用いることで、表示パネルに現れる表示欠陥を電気的に補償している。
【先行技術文献】
【特許文献】
【０００４】
【特許文献１】特開２００８−２５７１８６号公報
【発明の概要】
【発明が解決しようとする課題】
【０００５】
しかしながら、特許文献１の技術では、識別情報を読み取るには、識別情報が形成された表示装置の背面等の箇所にバーコードリーダを近づけて走査する必要があり、識別情報を読み取る作業が煩雑になるという問題がある。
【０００６】
また、表示装置に組み込まれた表示パネルの識別情報を知りたい場合には、表示装置を分解しないと見ることができない。そのために、表示パネルの識別情報を記載したシールを表示装置の背面に貼り付けておく方法等が考えられるが、このようなシールを貼り付けておく方法では、ユーザは、シールに記載された情報を読み取る必要があり、煩わしい作業を強いられる。識別情報を読み取る作業が煩雑であることは、表示パネルの場合だけでなく、表示装置の識別情報を読み取る場合にも、同様である。
【０００７】
そこで、本発明は、上記問題を解決するためになされたものであり、表示装置又は表示パネルの識別情報を簡単に読み取ることができる表示装置等を提供することを目的とする。
【課題を解決するための手段】
【０００８】
上記目的を達成するために、本発明の一形態に係る表示装置は、入力された映像信号に従って映像を表示する表示装置であって、映像を表示する表示パネルと、当該表示装置又は前記表示パネルの識別情報を保持している第１記憶部と、前記第１記憶部から前記識別情報を読み出し、読み出した前記識別情報を、前記表示パネルを用いて提示する識別情報提示回路とを備える。
【０００９】
上記目的を達成するために、本発明の一形態に係る通信システムは、上記表示装置と、サーバ装置と、前記表示装置が提示した識別情報を撮影することで前記識別情報を取得し、取得した前記識別情報を提示して前記サーバ装置にアクセスする端末装置とを備え、前記サーバ装置は、前記端末装置が提示した前記識別情報に依存する処理を行う。
【００１０】
上記目的を達成するために、本発明の一形態に係る拡張現実システムは、上記表示装置と、前記複数の表示装置が提示した２次元バーコードをＡＲ（Ａｕｇｍｅｎｔｅｄ  Ｒｅａｌｉｔｙ）マーカーとして検知するＡＲ制御装置とを備える。
【００１１】
上記目的を達成するために、本発明の一形態に係る識別情報の書き込み方法は、入力された映像信号に従って映像を表示する表示パネルを備える表示装置が有する第１記憶部に、前記表示装置又は前記表示パネルの識別情報を書き込む書き込みステップと、書き込まれた前記識別情報を前記第１記憶部から読み出し、読み出した前記識別情報を、前記表示パネルを用いて提示する提示ステップとを含む。
【発明の効果】
【００１２】
本発明により、表示装置又は表示パネルの識別情報を簡単に読み取ることができる表示装置等が提供される。
【図面の簡単な説明】
【００１３】
【図１】図１は、実施の形態に係る表示装置の構成を示すブロック図である。
【図２】図２は、実施の形態に係る表示装置による識別情報の提示処理を示すフローチャートである。
【図３】図３は、実施の形態の変形例１に係る表示装置の構成を示すブロック図である。
【図４】図４は、実施の形態の変形例２に係る表示装置の構成を示すブロック図である。
【図５】図５は、実施の形態の変形例３に係る表示装置の構成を示すブロック図である。
【図６】図６は、実施の形態の変形例３に係る表示装置による識別情報の提示処理を示すフローチャートである。
【図７】図７は、実施の形態の変形例４に係る通信システムの構成を示すブロック図である。
【図８】図８は、実施の形態の変形例４に係る通信システムの動作を示すシーケンス図である。
【図９】図９は、実施の形態の変形例５に係る通信システムの構成を示すブロック図である。
【図１０】図１０は、実施の形態の変形例５に係る通信システムの動作を示すシーケンス図である。
【図１１】図１１は、実施の形態の変形例６に係る表示装置の構成を示すブロック図である。
【図１２】図１２は、実施の形態の変形例６に係る通信システムの構成を示すブロック図である。
【図１３】図１３は、実施の形態の変形例６に係る通信システムの動作を示すシーケンス図である。
【図１４】図１４は、実施の形態の変形例７に係る表示装置の構成を示すブロック図である。
【図１５】図１５は、実施の形態の変形例７に係る表示装置による識別情報の書き込み処理を示すフローチャートである。
【図１６】図１６は、実施の形態の変形例８に係る拡張現実システムの構成を示す図である。
【図１７】図１７は、実施の形態の変形例８に係る拡張現実システムの動作を示すフローチャートである。
【図１８】図１８は、実施の形態の変形例８に係る拡張現実システムが提示する拡張映像の例を示す図である。
【図１９】図１９は、実施の形態の変形例９に係る表示装置の構成を示すブロック図である。
【発明を実施するための形態】
【００１４】
以下、本発明の実施の形態について、図面を用いて詳細に説明する。なお、以下で説明する実施の形態は、いずれも本発明の一具体例を示すものである。以下の実施の形態で示される数値、形状、材料、画像、データ、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００１５】
（実施の形態）
図１は、実施の形態に係る表示装置２０の構成を示すブロック図である。表示装置２０は、入力された映像信号に従って映像を表示する装置であり、例えば、ＬＣＤ、有機ＥＬ（ＥｌｅｃｔｒｏＬｉｍｉｎｅｓｃｅｎｃｅ）ディスプレイ等であり、モノクロ、グレースケール、カラー等の種類は問わない。表示装置２０は、表示パネル２１、表示回路２２、第１記憶部２３、センサ２４、及び、識別情報提示回路２５を備える。
【００１６】
表示回路２２は、外部装置から入力された映像データを受け取り、受け取った映像データを表示パネル２１で表示可能な映像信号に変換して表示パネル２１に出力する回路である。本実施の形態では、表示回路２２は、外部装置から入力された映像データに、ＯＳＤ（Ｏｎ−Ｓｃｒｅｅｎ  Ｄｉｓｐｌａｙ）回路２８から送られてくる画像（ここでは、２次元バーコード１４）を重畳させた映像信号を生成して表示パネル２１に出力する。
【００１７】
表示パネル２１は、入力された映像信号を表示する画面であり、例えば、タイミング・コントローラ（Ｔｉｍｉｎｇ  Ｃｏｎｔｒｏｌｌｅｒ：ＴＣＯＮ）、データ信号線ドライバ、アドレス信号線ドライバ、及び、液晶パネル等で構成される。
【００１８】
第１記憶部２３は、表示装置２０又は表示パネル２１の識別情報１１を保持するメモリであり、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）である。本実施の形態では、第１記憶部２３は、識別情報１１と共に、表示装置２０又は表示パネル２１の設定情報１２も保持する。なお、識別情報１１は、表示装置２０又は表示パネル２１をユニークに識別するＩＤであり、本実施の形態では、テキスト形式のデータである。また、設定情報１２は、付加的な情報（つまり、付加情報）の一例であり、ここでは、表示装置２０又は表示パネル２１の設定値を示す情報であり、例えば、表示パネル２１の輝度及びコントラスト等の設定値である。
【００１９】
センサ２４は、各種物理情報を検知してセンサ情報１３として出力するセンサであり、例えば、温度計、輝度計、表示パネル２１の連続点灯時間（つまり、連続通電時間）を計測するタイマ等である。
【００２０】
識別情報提示回路２５は、第１記憶部２３から識別情報１１を読み出し、読み出した識別情報１１を、表示パネル２１を用いて提示する回路の一例である。本実施の形態では、識別情報提示回路２５は、第１記憶部２３から識別情報１１と共に設定情報１２を読み出し、センサ２４からセンサ情報１３を取得し、それらの識別情報１１、設定情報１２及びセンサ情報１３を、表示パネル２１を用いて提示する。識別情報提示回路２５は、第１多重化回路２６、バーコード生成回路２７、及び、ＯＳＤ回路２８を有する。
【００２１】
第１多重化回路２６は、第１記憶部２３から読み出した識別情報１１及び設定情報１２と、センサ２４から取得したセンサ情報１３とを多重化することで合成する回路である。
【００２２】
バーコード生成回路２７は、第１多重化回路２６での合成によって得られたデータを、２次元バーコードを示す画像に変換することで、２次元バーコード１４を生成する回路である。
【００２３】
ＯＳＤ回路２８は、バーコード生成回路２７で生成された２次元バーコード１４を一時的に保持し、保持している２次元バーコード１４を画素単位で表示回路２２に出力することで、表示パネル２１に２次元バーコード１４を表示させる回路である。
【００２４】
次に、以上のように構成された本実施の形態に係る表示装置２０の動作について説明する。
【００２５】
図２は、実施の形態に係る表示装置２０による識別情報の提示処理（つまり、提示ステップ）を示すフローチャートである。
【００２６】
識別情報提示回路２５は、ユーザからの指示等に基づいて、外部装置又は表示装置２０が備えるコントローラ（図示せず）から、識別情報を提示する指示を受けた場合に、以下の処理を実行する。
【００２７】
第１多重化回路２６は、第１記憶部２３から識別情報１１及び設定情報１２を読み出して取得し、センサ２４からセンサ情報１３を取得し（Ｓ２０）、取得した識別情報１１及び設定情報１２とセンサ情報１３を多重化することで合成する（Ｓ２１）。
【００２８】
そして、バーコード生成回路２７は、第１多重化回路２６での合成によって得られたデータを、２次元バーコードを示す画像に変換することで、２次元バーコード１４を生成する（Ｓ２２）。２次元バーコードとしては、例えばＱＲコード（登録商標）やＡＲマーカーを利用することができる。
【００２９】
そして、ＯＳＤ回路２８は、バーコード生成回路２７で生成された２次元バーコード１４を画素単位で表示回路２２に転送することで、表示パネル２１に２次元バーコードを表示させる（Ｓ２７）。これにより、識別情報１１、設定情報１２及びセンサ情報１３は、２次元バーコードとして、表示パネル２１に表示される。
【００３０】
これにより、表示装置２０に表示された映像を閲覧しているユーザは、閲覧しているその位置から、携帯情報端末等の２次元バーコードリーダを用いて、簡単に、表示装置２０又は表示パネル２１の識別情報１１及び設定情報１２、並びに、センサ情報１３を取得できる。
【００３１】
このように、本実施の形態に係る表示装置２０は、入力された映像信号に従って映像を表示する装置であって、映像を表示する表示パネル２１と、表示装置２０又は表示パネル２１の識別情報を保持している第１記憶部２３と、第１記憶部２３から識別情報を読み出し、読み出した識別情報を、表示パネル２１を用いて提示する識別情報提示回路２５とを備える。
【００３２】
これにより、表示装置２０又は表示パネル２１の識別情報１１は、表示パネル２１に表示される。よって、従来のように、識別情報が形成された表示装置の背面等の箇所にバーコードリーダを近づけて走査したり、表示装置の背面に貼り付けシールを読み取ったり、表示装置を分解して表示パネルの識別情報を探し出したりすることなく、表示装置２０を見る通常の位置から、表示装置２０又は表示パネル２１の識別情報１１を確認できる。よって、表示装置２０又は表示パネル２１の識別情報を簡単に読み取ることができる。
【００３３】
また、識別情報提示回路２５は、識別情報を２次元バーコードとして表示パネル２１に表示することで、識別情報を提示する。
【００３４】
これにより、例えば、２次元バーコードを読み取るアプリがインストールされたスマートフォン等のカメラ付き携帯情報端末を有するユーザであれば、表示装置２０を見る通常の位置から、表示装置２０の画面を携帯情報端末で撮影するだけで、簡単に、識別情報を読み取ることができる。
【００３５】
また、第１記憶部２３は、識別情報を、テキストの形式で保持し、識別情報提示回路２５は、第１記憶部２３からテキストを読み出し、読み出したテキストに従って２次元バーコードを示す画像を生成し、生成した画像を表示パネル２１に表示する。
【００３６】
これにより、第１記憶部２３に２次元バーコードを示すテキストを保存しておくことで、２次元バーコードが提示されるので、第１記憶部２３に２次元バーコードの画像を保存しておくことに比べ、第１記憶部２３の記憶サイズが小さくて済む。
【００３７】
また、表示装置２０は、さらに、センサ２４を備え、識別情報提示回路２５は、センサ２４が出力するセンサ情報１３とテキスト形式の識別情報１１とを合成し、合成によって得られたデータを示す２次元バーコードを表す画像を生成し、生成した画像を映像信号に重畳させることで、識別情報１１及びセンサ情報１３を提示する。
【００３８】
これにより、２次元バーコードには、識別情報１１だけでなく、センサ情報１３が含まれるので、２次元バーコードを読み取ることで、識別情報１１と共に、センサ情報１３も読み取ることができる。
【００３９】
（変形例１）
次に、上記実施の形態の変形例１に係る表示装置について説明する。
【００４０】
本変形例に係る表示装置は、２次元バーコードを示す画像の形式で識別情報を第１記憶部に保持している点で、テキストの形式で識別情報を第１記憶部に保持している上記実施の形態と異なる。以下、上記実施の形態と異なる点を中心に説明する。
【００４１】
図３は、実施の形態の変形例１に係る表示装置２０ａの構成を示すブロック図である。表示装置２０ａは、入力された映像信号に従って映像を表示する装置であり、表示パネル２１、表示回路２２、第１記憶部２３ａ、及び、識別情報提示回路２５ａを備える。
【００４２】
第１記憶部２３ａは、表示装置２０ａ又は表示パネル２１の識別情報を２次元バーコード１４（つまり、２次元バーコードを示す画像）の形式で保持するメモリであり、例えば、ＥＥＰＲＯＭである。
【００４３】
識別情報提示回路２５ａは、第１記憶部２３ａから識別情報（ここでは、画像としての２次元バーコード１４）を読み出し、読み出した２次元バーコード１４を、表示パネル２１を用いて提示する。識別情報提示回路２５ａは、上記実施の形態と同様のＯＳＤ回路２８を有する。ＯＳＤ回路２８は、第１記憶部２３ａから２次元バーコード１４を読み出して一時的に保持し、保持している２次元バーコード１４を画素単位で表示回路２２に出力することで、表示パネル２１に２次元バーコード１４を表示させる。
【００４４】
また、本変形例の表示装置２０ａの動作（識別情報の提示処理）は、第１記憶部２３ａから読み出す対象が２次元バーコードである点、及び、上記実施の形態におけるステップＳ２１（多重化）及びＳ２２（２次元バーコードの生成）がない点を除いて、実施の形態と同様である。
【００４５】
このように、本変形例に係る表示装置２０ａでは、第１記憶部２３ａは、識別情報を、２次元バーコードを表す画像の形式で保持し、識別情報提示回路２５ａは、第１記憶部２３ａから画像を読み出し、読み出した画像を表示パネル２１に表示する。
【００４６】
これにより、上記実施の形態に比べ、センサ２４、第１多重化回路２６及びバーコード生成回路２７が不要となり、より小さい回路規模で、識別情報を表示パネル２１に提示する表示装置２０ａが実現される。
【００４７】
（変形例２）
次に、上記実施の形態の変形例２に係る表示装置について説明する。
【００４８】
本変形例に係る表示装置は、第１記憶部に保持されたテキスト形式の識別情報だけを表示パネルに提示する点で、識別情報とセンサ情報とを多重化して表示パネルに提示する上記実施の形態と異なる。以下、上記実施の形態と異なる点を中心に説明する。
【００４９】
図４は、実施の形態の変形例２に係る表示装置２０ｂの構成を示すブロック図である。表示装置２０ｂは、入力された映像信号に従って映像を表示する装置であり、表示パネル２１、表示回路２２、第１記憶部２３ｂ、及び、識別情報提示回路２５ｂを備える。
【００５０】
第１記憶部２３ｂは、表示装置２０ｂ又は表示パネル２１の識別情報１１をテキストの形式で保持するメモリであり、例えば、ＥＥＰＲＯＭである。本変形例では、上記実施の形態と異なり、設定情報は、第１記憶部２３ｂに保持されていない。
【００５１】
識別情報提示回路２５ｂは、第１記憶部２３ａからテキスト形式の識別情報１１を読み出し、読み出した識別情報１１を、表示パネル２１を用いて提示する。識別情報提示回路２５ｂは、上記実施の形態と同様のバーコード生成回路２７及びＯＳＤ回路２８を有する。バーコード生成回路２７は、第１記憶部２３ｂから識別情報１１を読み出し、読み出した識別情報１１を、２次元バーコードを示す画像に変換することで、２次元バーコード１４を生成する。ＯＳＤ回路２８は、バーコード生成回路２７で生成された２次元バーコード１４を一時的に保持し、保持している２次元バーコード１４を画素単位で表示回路２２に出力することで、表示パネル２１に２次元バーコード１４を表示させる。
【００５２】
また、本変形例の表示装置２０ｂの動作（識別情報の提示処理）は、第１記憶部２３ｂから読み出す対象が識別情報１１だけである点、及び、上記実施の形態におけるステップＳ２１（多重化）がない点を除いて、上記実施の形態と同様である。
【００５３】
このように、本変形例に係る表示装置２０ｂでは、第１記憶部２３ｂは、識別情報を、テキストの形式で保持し、識別情報提示回路２５ｂは、第１記憶部２３ｂからテキストを読み出し、読み出したテキストに従って２次元バーコードを示す画像を生成し、生成した画像を表示パネル２１に表示する。
【００５４】
これにより、上記実施の形態に比べ、センサ及び第１多重化回路が不要となり、より小さい回路規模で、識別情報を表示パネル２１に提示する表示装置２０ｂが実現される。
【００５５】
（変形例３）
次に、上記実施の形態の変形例３に係る表示装置について説明する。
【００５６】
本変形例に係る表示装置は、光ＩＤ（つまり、可視光通信）によって識別情報を提示する点で、２次元バーコードの形式で識別情報を表示パネルに表示する上記実施の形態と異なる。以下、上記実施の形態と異なる点を中心に説明する。
【００５７】
図５は、実施の形態の変形例３に係る表示装置２０ｃの構成を示すブロック図である。表示装置２０ｃは、入力された映像信号に従って映像を表示する装置であり、表示パネル２１、表示回路２２、第１記憶部２３、センサ２４、及び、識別情報提示回路２５ｃを備える。
【００５８】
識別情報提示回路２５ｃは、第１記憶部２３から識別情報１１及び設定情報１２を読み出し、読み出した識別情報１１及び設定情報１２に基づいて映像を輝度変調することで、識別情報１１及び設定情報１２を提示する。識別情報提示回路２５ｃは、第１多重化回路２６、光ＩＤ生成回路３０、重畳回路３１、駆動回路３２、及び、バックライト３３を有する。
【００５９】
第１多重化回路２６は、上記実施の形態と同様に、第１記憶部２３から読み出した識別情報１１及び設定情報１２と、センサ２４から取得したセンサ情報１３とを多重化することで合成する。
【００６０】
光ＩＤ生成回路３０は、第１多重化回路２６での合成によって得られたデータを、光ＩＤ信号１４ａに変換して出力する回路である。例えば、光ＩＤ生成回路３０は、第１多重化回路２６での合成によって得られたデータに対して４値パルス位置変調（４ＰＰＭ）を施すことで可視光通信に適した信号である光ＩＤ信号１４ａに変換する。
【００６１】
重畳回路３１は、表示回路２２から、映像信号に元づくバックライト３３への制御信号である調光信号を取得し、取得した調光信号に対して、光ＩＤ生成回路３０から出力された光ＩＤ信号１４ａを重畳させる回路である。
【００６２】
駆動回路３２は、重畳回路３１から出力される、光ＩＤ信号１４ａが重畳された調光信号に従って、バックライト３３を駆動する回路であり、例えば、Ｄ／Ａ変換器及び電力増幅器等で構成される。
【００６３】
バックライト３３は、駆動回路３２から出力される駆動信号に従って、背面から表示パネル２１を照明する光源であり、例えば、複数のＬＥＤで構成されるエッジライト方式又は直下型方式の光源である。
【００６４】
図６は、実施の形態の変形例３に係る表示装置２０ｃによる識別情報の提示処理（つまり、提示ステップ）を示すフローチャートである。
【００６５】
情報の取得（Ｓ２０）及び多重化（Ｓ２１）は、上記実施の形態と同様である。
【００６６】
多重化（Ｓ２１）の後に、光ＩＤ生成回路３０は、第１多重化回路２６での合成によって得られたデータに対して４値パルス位置変調（４ＰＰＭ）等の変調を施すことで光ＩＤ信号１４ａを生成する（Ｓ３２）。
【００６７】
そして、重畳回路３１は、表示回路２２から調光信号を取得し、取得した調光信号に対して、光ＩＤ生成回路３０から出力された光ＩＤ信号１４ａを重畳させる（Ｓ３３）。
【００６８】
そして、駆動回路３２は、重畳回路３１から出力される、光ＩＤ信号が重畳された調光信号に従って、バックライト３３を駆動する（Ｓ３４）。これにより、表示パネル２１で表示される映像に対して、光ＩＤ信号１４ａ（つまり、識別情報１１、設定情報１２及びセンサ情報１３）に基づく輝度変調が施され、光ＩＤ信号が可視光通信によって表示パネル２１から送信される。
【００６９】
このように、本変形例に係る表示装置２０ｃでは、識別情報提示回路２５ｃは、識別情報に基づいて映像を輝度変調することで、識別情報を提示する。
【００７０】
これにより、表示装置２０ｃ又は表示パネル２１の識別情報１１は、表示パネル２１から可視光通信によって送信される。よって、従来のように、識別情報が形成された表示装置の背面等の箇所にバーコードリーダを近づけて走査したり、表示装置の背面に貼り付けシールを読み取ったり、表示装置を分解して表示パネルの識別情報を探し出したりすることなく、簡単に、可視光通信により、識別情報を読み取ることができる。例えば、可視光通信の受信機として機能するアプリがインストールされたスマートフォン等のカメラ付き携帯情報端末を有するユーザであれば、表示装置２０ｃを見る通常の位置から、携帯情報端末を用いて、表示装置２０ｃから可視光通信で送信されてくる光ＩＤ信号を受信するだけで、簡単に、識別情報を読み取ることができる。
【００７１】
また、表示装置２０ｃは、さらに、センサ２４を備え、識別情報提示回路２５は、センサ２４が出力するセンサ情報１３と第１記憶部２３から読み出した識別情報１１とを合成し、合成によって得られたデータに基づいて映像を輝度変調することで、識別情報１１及びセンサ情報１３を提示する。
【００７２】
これにより、可視光通信で送信される光ＩＤ信号には、識別情報１１だけでなく、センサ情報１３が含まれるので、光ＩＤ信号を受信することで、識別情報１１と共に、センサ情報１３も読み取ることができる。
【００７３】
なお、本変形例は、第１記憶部２３に記憶された識別情報１１及び設定情報１２、並びに、センサ２４から出力されるセンサ情報１３が可視光通信として送信されたが、これに限られず、センサ２４を設けないで、かつ、第１記憶部２３に光ＩＤ信号１４ａだけを保持し、第１記憶部２３から読み出された光ＩＤ信号１４ａを可視光通信で送信してもよい。この場合には、識別情報提示回路２５ｃには、第１多重化回路２６及び光ＩＤ生成回路３０を設ける必要がなくなる。
【００７４】
また、センサ２４を設けないで、かつ、第１記憶部２３に識別情報１１だけを保持し、第１記憶部２３から読み出された識別情報を可視光通信で送信してもよい。この場合には、識別情報提示回路２５には、第１多重化回路２６を設ける必要がなくなる。
【００７５】
（変形例４）
次に、上記実施の形態の変形例４として、本発明に係る表示装置を用いた通信システムについて説明する。
【００７６】
図７は、実施の形態の変形例４に係る通信システム１０の構成を示すブロック図である。本変形例に係る通信システム１０は、本発明に係る表示装置に提示された識別情報を用いた、応用例に係るシステムであり、表示装置２０ｄ、端末装置４０及びサーバ装置５０で構成される。
【００７７】
表示装置２０ｄは、基本的に、上記実施の形態に係る表示装置２０と同様の構成を備える。本図では、説明の便宜上、表示装置２０ｄの詳細な構成の図示が省略されている。ただし、実施の形態における第１多重化回路２６は、本変形例では、文字列生成回路３５に置き換えられている。
【００７８】
表示装置２０ｄにおいて、第１記憶部２３は、表示装置２０ｄ又は表示パネル２１の識別情報１１と、サーバ装置５０が備えるｗｅｂサイトのＵＲＬ（Ｕｎｉｆｏｒｍ  Ｒｅｓｏｕｒｃｅ  Ｌｏｃａｔｏｒ）１５とを保持している。
【００７９】
また、識別情報提示回路２５は、第１記憶部２３から識別情報１１と共にＵＲＬ１５を読み出し、読み出したＵＲＬ１５と識別情報１１とを含む情報を、表示パネル２１を用いて提示する。より詳しくは、文字列生成回路３５は、第１記憶部２３から識別情報１１及びＵＲＬ１５を読み出し、読み出した識別情報１１を、読み出したＵＲＬ１５の中に組み込む（例えば、本図に示されるように、引数として組み込む）ことで、ＵＲＬの形式の文字列を生成する回路であり、例えば、上記実施の形態における第１多重化回路で構成される。文字列生成回路３５で生成された文字列は、上記実施の形態と同様に、バーコード生成回路２７で２次元バーコード１４に変換され、変換された２次元バーコード１４が、ＯＳＤ回路２８（図示せず）及び表示回路２２（図示せず）を経て、表示パネル２１（図示せず）に表示される。
【００８０】
端末装置４０は、表示装置２０ｄが提示した識別情報を撮影することで識別情報を取得し、取得した識別情報を提示してサーバ装置５０にアクセスする装置の一例であり、例えば、２次元バーコード１４を読み取るアプリ及びｗｅｂブラウザがインストールされたスマートフォン、タブレット端末等のカメラを内蔵する携帯情報端末である。本実施の形態では、端末装置４０は、表示装置２０ｄに提示された、識別情報１１が引数として組み込まれたＵＲＬ１５を示す２次元バーコード１４を読み取ると、そのＵＲＬ１５を解読し、内蔵のｗｅｂブラウザを起動し、解読したＵＲＬ１５が示すｗｅｂサイトにアクセスする。
【００８１】
サーバ装置５０は、表示装置２０ｄの第１記憶部２３に保持されたＵＲＬ１５が示すｗｅｂサイトを備えるｗｅｂサーバである。サーバ装置５０は、複数の表示装置又は表示パネルについて、識別情報と製品情報（製品名、シリアル番号、製造日等）とを対応づけたデータベースを保持している。端末装置４０からサーバ装置５０のｗｅｂサイトへのアクセスを受けた場合に、サーバ装置５０は、アクセス時に提示された識別情報（つまり、ＵＲＬ１５の引数に組み込まれていた識別情報１１）に対応する製品情報をデータベースから読み出し、読み出した製品情報を示すｗｅｂコンテンツを生成して、端末装置４０に返送する。
【００８２】
図８は、実施の形態の変形例４に係る通信システム１０の動作を示すシーケンス図である。
【００８３】
表示装置２０ｄでは、文字列生成回路３５は、第１記憶部２３から表示装置２０ｄ又は表示パネル２１の識別情報１１と、サーバ装置５０が備えるｗｅｂサイトのＵＲＬ１５とを読み出し（Ｓ４０）、読み出した識別情報１１を、読み出したＵＲＬ１５の中に引数として組み込むことで、ＵＲＬの形式の文字列に変換する（Ｓ４１）。
【００８４】
そして、バーコード生成回路２７は、文字列生成回路３５で生成された文字列を２次元バーコードに変換し、ＯＳＤ回路２８及び表示回路２２を経て、表示パネル２１に表示する（Ｓ４２）。
【００８５】
端末装置４０は、表示装置２０ｄに表示された２次元バーコード１４を撮影し（Ｓ４３）、撮影した２次元バーコード１４が示すＵＲＬ１５を解読し、内蔵のｗｅｂブラウザを起動し、解読したＵＲＬ１５が示すｗｅｂサイトにアクセスし、ＵＲＬ１５の引数として付加されていた識別情報１１を提示する（Ｓ４４）。
【００８６】
端末装置４０からのアクセスを受けたサーバ装置５０は、アクセス時に提示された識別情報１１に対応する製品情報１８をデータベースから読み出し（Ｓ４５）、読み出した製品情報１８を示すｗｅｂコンテンツを生成して、端末装置４０に返送する（Ｓ４６）。
【００８７】
端末装置４０は、サーバ装置５０から返送されたｗｅｂコンテンツを受信し、表示する（Ｓ４７）。このときに表示されるｗｅｂコンテンツは、表示装置２０ｄ又は表示パネル２１の識別情報１１に対応する製品情報１８を示している。
【００８８】
このように、本変形例に係る通信システム１０は、識別情報１１を表示パネル２１に提示する表示装置２０ｄと、サーバ装置５０と、表示装置２０ｄが提示した識別情報１１を撮影することで識別情報１１を取得し、取得した識別情報１１を提示してサーバ装置５０にアクセスする端末装置４０とを備え、サーバ装置５０は、端末装置４０が提示した識別情報１１に依存する処理を行う。
【００８９】
これにより、端末装置４０は、表示装置２０ｄが提示した識別情報１１を撮影してサーバ装置５０に提示するだけで、サーバ装置５０では、識別情報１１に依存した処理が行われる。よって、ユーザは、簡単な操作で、表示装置２０又は表示パネル２１の個体に依存した処理をサーバ装置５０に依頼することができる。
【００９０】
また、表示装置２０ｄの第１記憶部２３は、識別情報１１と共に、ｗｅｂサイトのＵＲＬ１５を保持し、識別情報提示回路２５は、第１記憶部２３から識別情報１１と共にＵＲＬ１５を読み出し、読み出したＵＲＬ１５と識別情報１１とを含む情報を、表示パネル２１を用いて提示する。そして、サーバ装置５０は、表示装置２０ｄが保持しているＵＲＬ１５が示すｗｅｂサイトを備え、端末装置４０は、表示装置２０ｄに対する撮影で得られたＵＲＬ１５が示すｗｅｂサイトにアクセスし、アクセスしたｗｅｂサイトに識別情報１１を提示する。
【００９１】
これにより、ユーザは、端末装置４０を用いて、表示装置２０ｄに提示された識別情報１１及びＵＲＬ１５（例えば、２次元バーコード）を撮影するだけで、ＵＲＬ１５が示すｗｅｂサイトにアクセスし、識別情報１１をｗｅｂサイトに提示できる。よって、ユーザは、簡単な操作で、ｗｅｂサイトにアクセスし、表示装置２０ｄ又は表示パネル２１の個体に依存した情報をｗｅｂサイトから入手する等することができる。
【００９２】
なお、本変形例では、表示装置２０ｄは、文字列生成回路３５で生成された文字列を、２次元バーコードに変換したうえで表示パネル２１に表示したが、このような提示方法に限られず、文字列生成回路３５で生成された文字列を、上記変形例３のように、可視光通信によって送信してもよい。この場合には、端末装置４０は、例えば、可視光通信の受信機として機能するアプリがインストールされたスマートフォン等のカメラ付き携帯情報端末であればよい。これにより、ユーザは、簡単な操作で、ｗｅｂサイトにアクセスし、表示装置２０ｄ又は表示パネル２１の個体に依存した情報をｗｅｂサイトから入手する等の処理を行うことができる。
【００９３】
（変形例５）
次に、上記実施の形態の変形例５として、本発明に係る表示装置を用いた通信システムについて説明する。
【００９４】
図９は、実施の形態の変形例５に係る通信システム１０ａの構成を示すブロック図である。本変形例に係る通信システム１０ａは、本発明に係る表示装置に提示された識別情報を用いる応用例に係るシステムであり、上記変形例４に係る通信システム１０に暗号機能を付加したものに相当し、表示装置２０ｅ、端末装置４０及びサーバ装置５０ａで構成される。以下、上記変形例４と異なる点を中心に説明する。
【００９５】
表示装置２０ｅは、基本的に、上記変形例４に係る表示装置２０ｄが備える構成を備えるが、暗号機能をもつ識別情報提示回路２５ｄを備える。なお、第１記憶部２３は、識別情報１１及びＵＲＬ１５に加えて、付加情報１６を保持している。付加情報１６は、任意の付加的な情報であり、例えば、ＵＲＬ１５が示すｗｅｂサイトにログインする際に必要なパスワードである。
【００９６】
識別情報提示回路２５ｄは、上記変形例４に係る識別情報提示回路２５が備える構成に加えて、暗号化回路３６を備える。暗号化回路３６は、第１記憶部２３から読み出した付加情報１６に対して、外部装置又は表示装置２０ｅが備えるコントローラ（図示せず）から与えられる暗号鍵１７を用いて暗号化する回路である。文字列生成回路３５は、第１記憶部２３から識別情報１１及びＵＲＬ１５を読み出し、読み出した識別情報１１及び暗号化回路３６から出力される暗号文を、読み出したＵＲＬ１５の中に組み込む（例えば、本図に示されるように、引数として組み込む）ことで、ＵＲＬの形式の文字列を生成する。文字列生成回路３５で生成された文字列は、上記変形例４と同様に、バーコード生成回路２７で２次元バーコード１４に変換され、変換された２次元バーコード１４が、ＯＳＤ回路２８（図示せず）及び表示回路２２（図示せず）を経て、表示パネル２１（図示せず）に表示される。
【００９７】
サーバ装置５０ａは、上記変形例４に係るサーバ装置５０が備える機能に加えて、予め保持している暗号鍵１７を用いた復号機能を備える。具体的には、サーバ装置５０ａは、端末装置４０から、サーバ装置５０ａが備えるｗｅｂサイトへのアクセスを受けた場合に、アクセス時に提示された暗号文（つまり、ＵＲＬの引数に組み込まれていた付加情報１６の暗号文）に対して、暗号鍵１７を用いて復号することで元の付加情報１６を復元し、復元した付加情報１６に依存した処理を行う。例えば、付加情報１６がｗｅｂサイトにログインする際に必要なパスワードである場合には、サーバ装置５０ａは、端末装置４０からのアクセス時に受け取った暗号文を復号することでパスワードを復元し、復元したパスワードの正当性を確認したときに端末装置４０からのアクセスを許可し、そうでないときに端末装置４０からのアクセスを拒否する。
【００９８】
図１０は、実施の形態の変形例５に係る通信システム１０ａの動作を示すシーケンス図である。
【００９９】
表示装置２０ｅでは、暗号化回路３６は、第１記憶部２３から付加情報１６（ここでは、ログイン用のパスワード）を読み出し（Ｓ５０）、読み出した付加情報１６に対して、暗号鍵１７を用いて暗号化する（Ｓ５１）。
【０１００】
そして、文字列生成回路３５は、第１記憶部２３から識別情報１１及びＵＲＬ１５を読み出し（Ｓ４０）、読み出した識別情報１１及び暗号化回路３６から出力される暗号文を、読み出したＵＲＬ１５の中に組み込む（例えば、引数として組み込む）ことで、ＵＲＬの形式の文字列を生成する（Ｓ４１）。
【０１０１】
そして、バーコード生成回路２７は、文字列生成回路３５で生成された文字列を２次元バーコードに変換し、ＯＳＤ回路２８及び表示回路２２を経て、表示パネル２１に表示する（Ｓ４２）。
【０１０２】
端末装置４０は、表示装置２０ｅに表示された２次元バーコード１４を撮影し（Ｓ４３）、撮影した２次元バーコード１４が示すＵＲＬ１５を解読し、内蔵のｗｅｂブラウザを起動し、解読したＵＲＬ１５が示すｗｅｂサイトにアクセスし、ＵＲＬ１５の引数として付加されていた識別情報１１及び暗号文（つまり、暗号化された付加情報１６）を提示する（Ｓ４４）。
【０１０３】
端末装置４０からのアクセスを受けたサーバ装置５０ａは、アクセス時に提示された暗号文に対して、暗号鍵１７を用いて復号することで元の付加情報１６（ここでは、パスワード）を復元し、復元したパスワードの正当性を確認する（Ｓ５２）。正当性を確認した場合には、端末装置４０からのアクセスを許可し、そうでない場合には、端末装置４０からのアクセスを拒否する（つまり、処理を終了する）。
【０１０４】
端末装置４０からのアクセスを許可した場合には、サーバ装置５０ａは、アクセス時に提示された識別情報１１に対応する製品情報１８をデータベースから読み出し（Ｓ４５）、読み出した製品情報１８を示すｗｅｂコンテンツを生成して、端末装置４０に返送する（Ｓ４６）。
【０１０５】
端末装置４０は、サーバ装置５０ａから返送されたｗｅｂコンテンツを受信し、表示する（Ｓ４７）。
【０１０６】
このように、本変形例に係る通信システム１０ａでは、第１記憶部２３は、付加情報１６を保持し、識別情報提示回路２５は、第１記憶部２３から識別情報１１と共に付加情報１６を読み出し、読み出した付加情報１６を暗号化し、暗号化した付加情報１６と識別情報１１とを含む情報を、表示パネル２１を用いて提示する。
【０１０７】
これにより、ユーザは、端末装置４０を用いて、表示装置２０ｅに提示された識別情報１１、ＵＲＬ１５及び暗号化された付加情報１６（例えば、２次元バーコード）を撮影するだけで、ＵＲＬ１５が示すｗｅｂサイトにアクセスし、識別情報１１及び暗号化された付加情報１６をｗｅｂサイトに提示できる。よって、ユーザは、簡単な操作で、ｗｅｂサイトにアクセスし、暗号化した付加情報１６、及び、表示装置２０ｅ又は表示パネル２１の個体に依存した情報をｗｅｂサイトから入手する等の処理を行うことができる。
【０１０８】
（変形例６）
次に、上記実施の形態の変形例６に係る表示装置について説明する。
【０１０９】
本変形例に係る表示装置は、外部装置から配信された広告情報を、識別情報と共に提示する点で、このような広告情報の提示機能を持たない上記実施の形態と異なる。以下、上記実施の形態と異なる点を中心に説明する。
【０１１０】
図１１は、実施の形態の変形例６に係る表示装置２０ｆの構成を示すブロック図である。表示装置２０ｆは、入力された映像信号に従って映像を表示する装置であり、表示パネル２１、表示回路２２、第１記憶部２３、第２記憶部３７、通信部３８、及び、識別情報提示回路２５ｅを備える。
【０１１１】
第２記憶部３７は、外部装置（ここでは、広告サーバ５１）から書き込み可能であり、外部装置によって書き込まれた情報を保持する記憶部の一例であり、例えば、ＥＥＰＲＯＭである。
【０１１２】
通信部３８は、広告サーバ５１と通信する通信インタフェースであり、例えば、Ｂｌｕｅｔｏｏｔｈ（登録商標）又は無線ＬＡＮ用の通信アダプタである。本変形例では、通信部３８は、広告サーバ５１から、インターネットを介して、広告情報１９及びＵＲＬ１５を受け取り、第２記憶部３７に格納する。ここで、広告情報１９は、識別情報１１と共に表示パネル２１に表示させる提示情報の一例である。ＵＲＬ１５は、広告情報１９と関連した情報を保持しているｗｅｂサーバのＵＲＬである。
【０１１３】
識別情報提示回路２５ｅは、第１記憶部２３から識別情報１１及び設定情報１２を読み出し、第２記憶部３７から広告情報１９及びＵＲＬ１５を読み出し、読み出した広告情報１９を、識別情報１１及び設定情報１２（ここでは、２次元バーコード）と区別可能な態様で、表示パネル２１を用いて提示する。識別情報提示回路２５ｅは、上記実施の形態に係る識別情報提示回路２５が有する構成（第１多重化回路２６、バーコード生成回路２７及びＯＳＤ回路２８）に加えて、第２多重化回路２６ａを有する。
【０１１４】
第１多重化回路２６は、第１記憶部２３から読み出した識別情報１１及び設定情報１２と、第２記憶部３７から読み出したＵＲＬ１５とを多重化することで合成する。
【０１１５】
バーコード生成回路２７は、第１多重化回路２６での合成によって得られたデータを、２次元バーコードを示す画像に変換することで、２次元バーコード１４を生成する。
【０１１６】
第２多重化回路２６ａは、バーコード生成回路２７で生成された２次元バーコード１４と、第２記憶部３７から読み出し広告情報１９とを多重化してＯＳＤ回路２８に出力する。
【０１１７】
ＯＳＤ回路２８は、第２多重化回路２６ａから出力される２次元バーコード１４及び広告情報１９を一時的に保持し、保持している２次元バーコード１４及び広告情報１９を画素単位で表示回路２２に出力することで、表示パネル２１に２次元バーコード１４及び広告情報１９を表示させる。
【０１１８】
図１２は、図１１に示される表示装置２０ｆで構成される、実施の形態の変形例６に係る通信システム１０ｂの構成を示すブロック図である。本変形例に係る通信システム１０ｂは、本発明に係る表示装置に提示された識別情報を用いて端末装置に対して広告を配信する広告配信システムであり、表示装置２０ｆ、端末装置４０及びサーバ装置５０ｂで構成される。
【０１１９】
サーバ装置５０ｂは、表示装置２０ｆの第１記憶部２３に保持されたＵＲＬ１５が示すｗｅｂサイトを備えるｗｅｂサーバである。サーバ装置５０ｂは、端末装置４０から受け取った識別情報１１に依存する処理として、端末装置４０に提示情報（ここでは、広告情報１９）を提供した者（ここでは、広告サーバ５１、又は、広告情報１９の広告主）に対して、端末装置４０から受け取った識別情報１１に対応づけられた支払先への支払いを指示する課金処理を行う。
【０１２０】
また、サーバ装置５０ｂは、複数の表示装置又は表示パネルについて、識別情報と広告コンテンツ（広告情報、通販サイトの情報等）とを対応づけたデータベースを保持している。端末装置４０からサーバ装置５０ｂのｗｅｂサイトへのアクセスを受けた場合に、サーバ装置５０ｂは、アクセス時に提示された識別情報（つまり、ＵＲＬの引数に組み込まれていた識別情報１１）に対応する広告コンテンツをデータベースから読み出し、読み出した広告コンテンツを示すｗｅｂコンテンツを生成して、端末装置４０に返送する。
【０１２１】
図１３は、実施の形態の変形例６に係る通信システム１０ｂの動作を示すシーケンス図である。
【０１２２】
表示装置２０ｆでは、第１多重化回路２６は、第１記憶部２３から識別情報１１及び設定情報１２を読み出し、第２記憶部３７からＵＲＬ１５を読み出し、多重化することで合成する（Ｓ６０）。
【０１２３】
そして、バーコード生成回路２７は、第１多重化回路２６での合成によって得られたデータを２次元バーコード１４に変換する（Ｓ６１）。
【０１２４】
そして、第２多重化回路２６ａは、第２記憶部３７から広告情報１９を読み出し（Ｓ６２）、読み出した広告情報１９と、バーコード生成回路２７で生成された２次元バーコード１４とを多重化し、ＯＳＤ回路２８及び表示回路２２を経て、表示パネル２１に表示する（Ｓ６２）。
【０１２５】
端末装置４０は、表示装置２０ｆに表示された２次元バーコード１４を撮影し（Ｓ６４）、撮影した２次元バーコード１４が示すＵＲＬ１５を解読し、内蔵のｗｅｂブラウザを起動し、解読したＵＲＬ１５が示すｗｅｂサイトにアクセスし、ＵＲＬ１５の引数として付加されていた識別情報１１を提示する（Ｓ６５）。
【０１２６】
端末装置４０からのアクセスを受けたサーバ装置５０ｂは、端末装置４０に提示情報（ここでは、広告情報１９）を提供した者（ここでは、広告サーバ５１、又は、広告情報１９の広告主）に対して、アクセス時に提示された識別情報１１に対応づけられた支払先への支払いを指示する課金処理をする（Ｓ６６）。そして、サーバ装置５０ｂは、アクセス時に提示された識別情報１１に対応する広告コンテンツ１８ａをデータベースから読み出し（Ｓ６７）、読み出した広告コンテンツ１８ａを示すｗｅｂコンテンツを生成して、端末装置４０に返送する（Ｓ６８）。
【０１２７】
端末装置４０は、サーバ装置５０ｂから返送されたｗｅｂコンテンツを受信し、表示する（Ｓ６９）。このときに表示されるｗｅｂコンテンツは、表示装置２０ｆ又は表示パネル２１の識別情報１１に対応する広告コンテンツ１８ａを示している。
【０１２８】
これにより、表示装置２０ｆに２次元バーコードと共に広告情報１９が表示され、さらに、表示された２次元バーコードを端末装置４０で撮影することで、表示装置２０ｆ又は表示パネル２１の識別情報１１に関連した広告コンテンツ１８ａ、つまり、表示装置２０ｆに表示された広告情報１９に関連した広告コンテンツ１８ａが端末装置４０に表示され、端末装置４０のユーザへの広告効果が発揮される。そして、広告主には、その広告効果が発揮されたことに対応する課金処理が行われる。
【０１２９】
このように、本変形例に係る表示装置２０ｆは、外部装置から書き込み可能であり、外部装置によって書き込まれた提示情報を保持する第２記憶部３７を備え、識別情報提示回路２５ｅは、さらに、第２記憶部３７から提示情報（ここでは、広告情報１９）を読み出し、読み出した提示情報を、識別情報１１と区別可能な態様で、表示パネル２１を用いて提示する。
【０１３０】
これにより、表示パネル２１に識別情報１１が提示されたときに、同時に、外部装置から提供された提示情報も表示パネル２１に提示されるので、提示情報による広告効果が発揮される。
【０１３１】
また、本変形例に係る通信システム１０ｂでは、サーバ装置５０ｂは、識別情報１１に依存する処理として、提示情報を提供した者に対して、識別情報１１に対応づけられた支払先への支払いを指示する課金処理をする。
【０１３２】
これにより、サーバ装置５０ｂにより、表示装置２０ｆに提示情報と共に表示された識別情報１１に対応づけられた支払先への支払いを指示する課金処理を行われるので、提示情報による広告効果が発揮されたときに提示情報の提供主に対する課金処理が自動的に行われる。
【０１３３】
（変形例７）
次に、上記実施の形態の変形例７に係る表示装置について説明する。
【０１３４】
本変形例に係る表示装置は、第１記憶部への書き込み機能を備える点で、そのような機能を備えない上記実施の形態と異なる。以下、上記実施の形態と異なる点を中心に説明する。
【０１３５】
図１４は、実施の形態の変形例７に係る表示装置２０ｇの構成を示すブロック図である。表示装置２０ｇは、入力された映像信号に従って映像を表示する装置であり、上記実施の形態に係る表示装置２０が備える構成（表示パネル２１、表示回路２２、第１記憶部２３、及び、識別情報提示回路２５）に加えて、書き込み回路２９を備える。
【０１３６】
書き込み回路２９は、表示装置２０ｇ又は表示パネル２１の識別情報１１、及び、表示装置２０ｇ又は表示パネル２１の設定情報１２を第１記憶部２３に書き込む回路であり、例えば、外部装置又は表示装置２０ｇが備えるコントローラ（図示せず）から与えられる識別情報１１及び設定情報１２を第１記憶部２３に書き込む。
【０１３７】
図１５は、実施の形態の変形例７に係る表示装置２０ｇによる識別情報の書き込み処理を示すフローチャートである。
【０１３８】
書き込み回路２９は、外部装置又は表示装置２０ｇが備えるコントローラ（図示せず）から、第１記憶部２３への書き込み指示を受けたか否かを判断し（Ｓ１０）、その指示を受けたと判断した場合に（Ｓ１０でＹｅｓ）、その指示に対象となる表示装置２０ｇ又は表示パネル２１の識別情報１１、及び、表示装置２０ｇ又は表示パネル２１の設定情報１２の少なくとも一つを第１記憶部２３に書き込む（書き込みステップＳ１１）。このとき、既に、第１記憶部２３に識別情報１１及び設定情報１２が保存されている場合には、新たな識別情報１１及び設定情報１２を、古い識別情報１１及び設定情報１２に対して上書きをしてもよい。
【０１３９】
これにより、識別情報１１及び設定情報１２が予め格納された第１記憶部２３を表示装置２０ｇに実装しておくのではなく、第１記憶部２３を表示装置２０ｇに実装した後に、事後的に、識別情報１１及び設定情報１２を第１記憶部２３に格納することが可能になる。よって、例えば、表示装置２０ｇを使用した後に、第１記憶部２３に保存されている識別情報１１及び設定情報１２を更新することができる。
【０１４０】
なお、本変形例に係る表示装置２０ｇによる識別情報の提示処理（つまり、提示ステップ）は、図２に示される上記実施の形態に係る表示装置２０と同様である。
【０１４１】
このように、本変形例に係る識別情報の書き込み方法は、入力された映像信号に従って映像を表示する表示パネル２１を備える表示装置２０ｇが有する第１記憶部２３に、表示装置２０ｇ又は表示パネル２１の識別情報１１を書き込む書き込みステップＳ１１と、書き込まれた識別情報１１を第１記憶部２３から読み出し、読み出した識別情報１１を、表示パネル２１を用いて提示する提示ステップ（図２のＳ２０〜Ｓ２３）とを含む。
【０１４２】
このような書き込みステップにより、識別情報１１及び設定情報１２が予め格納された第１記憶部２３を実装しておくのではなく、第１記憶部２３を実装した後に、事後的に、識別情報１１及び設定情報１２を第１記憶部２３に格納することが可能になる。
【０１４３】
また、提示ステップにより、表示装置２０ｇ又は表示パネル２１の識別情報１１は、表示パネル２１に表示される。よって、表示装置２０ｇを見る通常の位置から、表示装置２０ｇ又は表示パネル２１の識別情報１１を確認できる。これにより、表示装置２０ｇ又は表示パネル２１の識別情報を簡単に読み取ることができる。
【０１４４】
なお、本変形例に係る表示装置２０ｇは、上記実施の形態に係る表示装置２０が備える構成に対して書き込み回路２９が追加された構成を備えたが、このような構成に限られず、変形例１〜７に係る表示装置が備える構成に対して書き込み回路２９が追加された構成を備えてもよい。
【０１４５】
（変形例８）
次に、上記実施の形態の変形例８として、本発明に係る表示装置を用いた拡張現実システムについて説明する。
【０１４６】
図１６は、実施の形態の変形例８に係る拡張現実システム６０の構成を示す図である。本変形例に係る拡張現実システム６０は、マルチモニタに表示された映像に対してコンピュータ情報を付加した映像（以下、このような映像を「拡張映像」という）をユーザに提示するシステムであり、マルチモニタを構成する複数の表示装置６１ａ〜６１ｈと、眼鏡型のＡＲ（Ａｕｇｍｅｎｔｅｄ  Ｒｅａｌｉｔｙ）制御装置６２とで構成される。
【０１４７】
複数の表示装置６１ａ〜６１ｈのそれぞれは、上記実施の形態、変形例１又は変形例２に係る表示装置の構成を備える装置であり、通常の映像表示に加えて、自表示装置の識別情報を２次元バーコードで表示する。
【０１４８】
ＡＲ制御装置６２は、表示装置６１ａ〜６１ｈが提示した２次元バーコードをＡＲマーカーとして検知することで、表示装置６１ａ〜６１ｈの個体識別とマルチモニタにおける位置認識とを行う機能を有し、表示装置６１ａ〜６１ｈに表示された映像に対してコンピュータ情報を付加した拡張映像をユーザに提示する。ＡＲ制御装置６２は、表示装置６１ａ〜６１ｈに表示された映像を撮影するカメラ、カメラで得られた映像に対してＡＲマーカーを検知して拡張映像を生成するコンピュータ装置、及び、生成された拡張映像を提示する透過型の有機ＥＬディスプレイ等で構成される。
【０１４９】
図１７は、実施の形態の変形例８に係る拡張現実システム６０の動作を示すフローチャートである。
【０１５０】
ＡＲ制御装置６２は、表示装置６１ａ〜６１ｈに表示された映像を撮影し、得られた映像に対して画像認識をすることで、ＡＲマーカーである２次元バーコードが存在するか（つまり、検知したか）否かを判断する（Ｓ７０）。
【０１５１】
２次元バーコードを検知した場合には（Ｓ７０でＹｅｓ）、ＡＲ制御装置６２は、検知した２次元バーコードを解読することで、表示装置の個体識別と、個体識別した表示装置のマルチモニタにおける位置認識とを行う（Ｓ７１）。具体的には、ＡＲ制御装置６２は、２次元バーコードを解読して得た識別情報が、予め保持している表示装置６１ａ〜６１ｈのそれぞれに対応付けた識別情報のいずれに一致するかを判断することで、いずれの表示装置が２次元バーコードを提示したかを特定（つまり、個体識別を）し、予め保持している表示装置６１ａ〜６１ｈのそれぞれに対応付けた位置情報（つまり、マルチモニタにおける設置位置）を参照することで、特定した表示装置の位置認識（つまり、ＡＲマーカーの位置認識）を行う。
【０１５２】
そして、ＡＲ制御装置６２は、表示装置６１ａ〜６１ｈを撮影して得られた映像に対して、位置認識した表示装置の位置情報が示す位置（つまり、ＡＲマーカーの位置）に、予め定められたコンピュータ情報（例えば、予めＡＲマーカー（つまり、２次元バーコードが示す識別情報）に対応付けられたテキスト情報）を重畳させることで、図１８に示されるような拡張映像を生成し、生成した拡張映像をユーザに提示する（Ｓ７２）。
【０１５３】
図１８は、実施の形態の変形例８に係る拡張現実システム６０が提示する拡張映像の例を示す図である。ここでは、マルチモニタを構成する８台の表示装置６１ａ〜６１ｈのうち、表示装置６１ｂがＡＲマーカーである２次元バーコードを提示したので、表示装置６１ａ〜６１ｈを撮影して得られた映像に対して、表示装置６１ｂの位置にコンピュータ情報（ここでは、テキスト情報）が付加された拡張映像がユーザに提示されている。
【０１５４】
このように、本変形例に係る拡張現実システム６０は、上記実施の形態、変形例１又は変形例２に係る複数の表示装置６１ａ〜６１ｈと、複数の表示装置６１ａ〜６１ｈが提示した２次元バーコードをＡＲマーカーとして検知するＡＲ制御装置６２とを備える。
【０１５５】
これにより、ＡＲ制御装置６２は、表示装置６１ａ〜６１ｈのいずれかに提示された識別情報を示す２次元バーコードをＡＲマーカーとして検知することで、表示装置の個体識別をできる。そして、表示装置６１ａ〜６１ｈの識別情報とマルチモニタにおける位置情報とを対応付けた情報を参照することで、個体識別した表示装置の位置認識も同時にできる。
【０１５６】
なお、本変形例では、表示装置６１ａ〜６１ｈは、識別情報を２次元バーコードで提示する上記実施の形態、変形例１又は変形例２に係る複数の表示装置であったが、これに限られず、識別情報を可視光通信で送信する上記実施の形態の変形例３に係る表示装置２０ｃであってもよい。その場合には、ＡＲ制御装置６２は、可視光通信の受信機としての機能を備えればよい。これにより、光ＩＤ信号をＡＲマーカーとして用いる拡張現実システムが実現される。
【０１５７】
（変形例９）
次に、上記実施の形態の変形例９に係る表示装置について説明する。
【０１５８】
本変形例に係る表示装置は、外部装置から配信された広告情報を、センサからの検知情報に基づいて選択する点で、変形例６とは異なる。以下、変形例６と異なる点を中心に説明する。
【０１５９】
図１９は、実施の形態の変形例９に係る表示装置２０ｈの構成を示すブロック図である。
【０１６０】
センサ２４は、各種物理情報を検知してセンサ情報１３として出力するセンサであり、例えば、温度計、輝度計、表示パネル２１の連続点灯時間（つまり、連続通電時間）を計測するタイマ等である。
【０１６１】
本実施の形態では、第２多重化回路２６ａが、センサ２４からのセンサ情報１３に基づいて、第２記憶部２５に記憶された広告情報１９を選択し、読み出した広告情報１９と、バーコード生成回路２７で生成された２次元バーコード１４とを多重化し、ＯＳＤ回路２８及び表示回路２２を経て、表示パネル２１に表示する。例えば、センサ２４が表示パネル２１の連続点灯時間を計測する場合、第２多重化回路２６ａは、連続点灯時間に応じたメンテナンスサービスに関する広告情報１９や新製品への買い替えを促す広告情報１９を選択する。
【０１６２】
このように、本変形例に係る表示装置２０ｈは、外部装置から書き込み可能であり、外部装置によって書き込まれた提示情報を保持する第２記憶部３７と、センサ２４とを備え、識別情報提示回路２５ｅは、センサ２４が検知した情報に基づいて第２記憶部３７に保持された提示情報（ここでは、広告情報１９）を選択し、選択した提示情報を、識別情報１１と区別可能な態様で、表示パネル２１を用いて提示する。
【０１６３】
これにより、表示パネル２１に識別情報１１が提示されたときに、同時に、センサ２４からのセンサ情報１３に依存して選択された提示情報も表示パネル２１に提示されるので、環境等の動的な状況に依存した広告提示等が可能になり、大きな広告効果が発揮される。
【０１６４】
以上、本発明に係る表示装置、通信システム、拡張現実システム及び識別情報の書き込み方法について、実施の形態及び変形例に基づいて説明したが、本発明は、これらの実施の形態及び変形例に限定されるものではない。本発明の主旨を逸脱しない限り、当業者が思いつく各種変形を本実施の形態又は変形例に施したものや、実施の形態及び変形例における一部の構成要素を組み合わせて構築される別の形態も、本発明の範囲内に含まれる。
【０１６５】
例えば、上記実施の形態及び変形例では、表示装置又は表示パネルの識別情報の提示方法として、２次元バーコードの表示、及び、光ＩＤ（つまり、可視光通信）の送信が行われたが、これらに限られない。例えば、識別情報をＢｌｕｅｔｏｏｔｈ（登録商標）又は無線ＬＡＮ等の無線通信で送信したり、赤外線信号で送信したりしてもよい。このような無線による識別情報の送信であっても、従来のように、識別情報が形成された表示装置の背面等の箇所にバーコードリーダを近づけて走査したり、表示装置の背面に貼り付けシールを読み取ったり、表示装置を分解して表示パネルの識別情報を探し出したりすることなく、表示装置を見る通常の位置から、表示装置又は表示パネルの識別情報を確認できる。
【０１６６】
また、上記実施の形態及び変形例では、第１記憶部２３に保持される識別情報は、表示装置又は表示パネルの識別情報であったが、表示装置及び表示パネルそれぞれの識別情報（つまり、２つの識別情報）であってもよい。つまり、表示装置及び表示パネルの少なくとも一つの識別情報が第１記憶部２３に保持されればよい。このとき、表示装置及び表示パネルのいずれの識別情報を第１記憶部２３に保持させるかについては、第１記憶部２３に識別情報を書き込む機器によって決定されてもよいし、表示装置又は表示パネルに保持される事前の設定値に応じて決定されてもよい。
【０１６７】
また、上記変形例４〜６では、端末装置４０は、スマートフォン、タブレット端末等のカメラを内蔵する携帯情報端末であったが、これに限られず、表示装置で提示された識別情報を読み取ってサーバ装置と通信できる装置であれば、カメラとコンピュータ装置から構成される据置型の装置セットであってもよい。このような据置型の装置セットであっても、表示装置又は表示パネルの識別情報を簡単に読み取ることができる。
【０１６８】
また、上記変形例６では、第１記憶部２３とは別個に、第２記憶部３７が設けられたが、これらの第１記憶部２３及び第２記憶部３７は、物理的に、同一の記憶デバイスであってもよいし、別個の記憶デバイスであってもよい。
【産業上の利用可能性】
【０１６９】
本発明は、表示装置、通信システム、拡張現実システム、及び、表示装置への識別情報の書き込み方法として、特に、従来よりも表示装置又は表示パネルの識別情報を簡単に読み取ることができる表示装置等として、例えば、表示装置を校正する校正システム、表示装置に関連した広告を提示する広告配信システム、拡張現実システムとして、利用できる。
【符号の説明】
【０１７０】
１０、１０ａ、１０ｂ  通信システム
１１  識別情報
１２  設定情報
１３  センサ情報
１４  ２次元バーコード
１５  ＵＲＬ
１６  付加情報
１７  暗号鍵
１８  製品情報
１８ａ  広告コンテンツ
１９  広告情報
２０、２０ａ〜２０ｈ、６１ａ〜６１ｈ  表示装置
２１  表示パネル
２２  表示回路
２３、２３ａ、２３ｂ  第１記憶部
２４  センサ
２５、２５ａ〜２５ｅ  識別情報提示回路
２６  第１多重化回路
２６ａ  第２多重化回路
２７  バーコード生成回路
２８  ＯＳＤ回路
２９  書き込み回路
３０  光ＩＤ生成回路
３１  重畳回路
３２  駆動回路
３３  バックライト
３５  文字列生成回路
３６  暗号化回路
３７  第２記憶部
３８  通信部
４０  端末装置
５０、５０ａ、５０ｂ  サーバ装置
５１  広告サーバ
６０  拡張現実システム
６２  ＡＲ制御装置
【図１】
2019174775.tif 000003
【図２】
2019174775.tif 000004
【図３】
2019174775.tif 000005
【図４】
2019174775.tif 000006
【図５】
2019174775.tif 000007
【図６】
2019174775.tif 000008
【図７】
2019174775.tif 000009
【図８】
2019174775.tif 000010
【図９】
2019174775.tif 000011
【図１０】
2019174775.tif 000012
【図１１】
2019174775.tif 000013
【図１２】
2019174775.tif 000014
【図１３】
2019174775.tif 000015
【図１４】
2019174775.tif 000016
【図１５】
2019174775.tif 000017
【図１６】
2019174775.tif 000018
【図１７】
2019174775.tif 000019
【図１８】
2019174775.tif 000020
【図１９】
2019174775.tif 000021